(57)【要約】    【課題】  旧価格ラベルの旧価格バーコードの少なくとも縦一列を隠蔽し、旧価格ラベルの旧価格バーコード以外の情報を隠蔽することがない突出部をもった値下げラベルを発行する方法を提供する。    【解決手段】  本発明の値下げラベルの発行方法は、入力部３５で突出部の縦方向の長さを入力し、印字部３２で値下げラベルＬに印字し、演算手段で演算した搬送距離を搬送し、カッター部３３で値下げラベルＬの突出部を切断することを特徴とする。【選択図】図３
2008164820.tif 000002
【特許請求の範囲】
【請求項１】
商品の旧価格ラベルに表示された旧価格バーコードの少なくとも縦一列を隠蔽する突出部を有する値下げラベルの発行方法であって、
前記値下げラベルを搬送し、前記値下げラベルの印字面に印字する印字手段と、
前記値下げラベルを切断するカッター手段と、
前記突出部の縦方向の長さを入力する入力手段と、
前記突出部を前記入力手段で入力した縦方向の長さにすべく前記カッター手段まで前記値下げラベルを搬送する搬送距離を演算する演算手段と、を有し、
前記入力手段で突出部の縦方向の長さを入力後に、前記印字手段で値下げラベルに印字し、前記演算手段で演算した搬送距離を搬送し、前記カッター手段で前記値下げラベルの突出部を切断することを特徴とする値下げラベルの発行方法。
【請求項２】
前記値下げラベルは裏面に粘着剤を有しており、表面に剥離剤を塗布した帯状台紙に一定の間隔で複数枚仮着してラベル連続体を形成していることを特徴とする請求項１の値下げラベルの発行方法。
【請求項３】
前記カッター手段で前記値下げラベルの突出部を切断後に、ラベル連続体を搬送し、印字した値下げラベルと次の値下げラベルとの間をカッター手段で切断することを特徴とする請求項１、請求項２記載の値下げラベルの発行方法。
【発明の詳細な説明】
【技術分野】
【０００１】
本発明は、商品を最初に陳列された時の価格（旧価格）から値下げする際に値下げを表示する値下げラベルの発行方法に関する。
【背景技術】
【０００２】
以下、図１（ａ）、（ｂ）に基づいて説明する。
従来、スーパーマーケット等の商店で商品に対して最初に陳列された価格（旧価格）より値下げするときに、商品を値下げしたことを買い物客にアピールするため、値下げ価格又は値下げ率などが表示された値下げラベル１をプリンタで発行して商品に貼り付けていた。
【０００３】
この値下げラベル１は、印字面に値下げ後の価格である新価格２と、３０％値下げなどの値下げ率３と、値下げ後の新価格情報を含んだ新価格バーコード４等が表示され、商品の値下げ前の価格である旧価格７が表示された旧価格ラベル８の旧価格情報を含んだ旧価格バーコード９に掛かるように貼り付けることによって旧価格バーコード９の少なくとも縦一列を隠蔽する突出部５を有している。突出部５は旧価格バーコード９を読取装置で読み取り不可能にし、且つ、旧価格ラベル８の旧価格バーコード９以外の領域は隠蔽しないようなサイズに形成されている。
【０００４】
しかしながら、従来の値下げラベル１は、突出部５の縦方向の長さ（以下、縦方向の長さを天地とする。）が変更できないため、図１（ｂ）に示すように旧価格ラベル８の旧価格バーコード９の天地Ｈが短く、且つ、旧価格バーコード９付近に製造販売元の名称等の情報が表示されている時は、突出部５で旧価格バーコード９の縦の列を隠蔽するように突出部５を貼り付けたとしても、旧価格バーコード９の縦の列以外の表示情報１０（製造販売元の名称等）も隠蔽することがあった。
また、旧価格バーコード９の天地Ｈが様々のサイズがあるときは、その旧価格バーコード９の天地Ｈに対応した天地ｈの突出部５を持つ値下げラベル１を所有する必要があり、結局多種類の値下げラベル１の在庫を持つことになり手間がかかるという問題があった。
また、値下げラベル１をプリンタで発行するときに、旧価格バーコード９の天地Ｈに対応する突出部５の値下げラベル１をプリンタにセットする必要があり、旧価格バーコード９の天地Ｈの変更毎に対応した天地ｈの突出部５を持つ値下げラベル１をプリンタにセットしなくてはならないという手間がかかる問題があった。
【０００５】
【特許文献１】特開２００５−１２１７２１
【発明の開示】
【発明が解決しようとする課題】
【０００６】
本発明は、上記のような問題点に着目してなされたものであって、旧価格ラベルの旧価格バーコードの少なくとも縦一列を隠蔽し、旧価格ラベルの旧価格バーコード以外の情報を隠蔽することがない突出部の値下げラベルの発行方法を提供することを目的とする。
【課題を解決するための手段】
【０００７】
本発明に掛かる値下げラベルの発行方法は、商品の旧価格ラベルに表示された旧価格バーコードの少なくとも縦一列を隠蔽する突出部を有する値下げラベルの発行方法であって、前記値下げラベルを搬送し、前記値下げラベルの印字面に印字する印字手段と、前記値下げラベルを切断するカッター手段と、前記突出部の縦方向の長さを入力する入力手段と、前記突出部を前記入力手段で入力した縦方向の長さにすべく前記カッター手段まで前記値下げラベルを搬送する搬送距離を演算する演算手段と、を有し、前記入力手段で突出部の縦方向の長さを入力後に、前記印字手段で値下げラベルに印字し、前記演算手段で演算した搬送距離を搬送し、前記カッター手段で前記突出部を切断することを特徴とする。
また、値下げラベルは裏面（印字面と反対側の面）に粘着剤を有しており、表面に剥離剤を塗布した帯状台紙に一定の間隔で複数枚仮着してラベル連続体を形成することもできる。
また、カッター手段で前記値下げラベルの突出部を切断後に、ラベル連続体を搬送し、印字した値下げラベルと次の値下げラベルとの間をカッター手段で切断することもできる。
【発明の効果】
【０００８】
本発明に係る値下げラベルの発行方法は、前記値下げラベルを搬送し、前記値下げラベルの印字面に印字する印字手段と、前記値下げラベルを切断するカッター手段と、前記突出部の縦方向の長さを入力する入力手段と、前記突出部を前記入力手段で入力した縦方向の長さにすべく前記カッター手段まで前記値下げラベルを搬送する搬送距離を演算する演算手段と、を有し、前記入力手段で突出部の縦方向の長さを入力後に、前記印字手段で値下げラベルに印字し、前記演算手段で演算した搬送距離を搬送し、前記カッター手段で前記値下げラベルを切断するため、旧価格バーコードに掛けて貼り付けても旧価格バーコードの縦の列以外の表示情報（製造販売元の名称等）を隠蔽することがない突出部を有する値下げラベルを発行することができる。
また、突出部の天地（縦方向の長さ）を変更できるため、多種のサイズの突出部をもった値下げラベルを保管しておく必要がなく、手間がかからない。
また、突出部の天地を変更できるため、旧価格バーコードの天地に対応する突出部の値下げラベルをプリンタにセットする必要がなく、旧価格バーコードの天地の変更毎に対応した突出部を持つ値下げラベルをプリンタにセットしなくてはならないという手間がかからない。
【発明を実施するための最良の形態】
【０００９】
本発明の値下げラベルの発行方法の実施の形態を図２乃至図？に基づいて説明する。
図２（ａ）は、ラベル連続体の斜視図である。
図２（ｂ）は、ラベル連続体の裏面の平面図である。
ラベル連続体１２は、帯状台紙１３の剥離剤が塗布された面（表面）に、一定の間隔で多数の値下げラベルＬ・・・Ｌが粘着剤を介して仮着しており、帯状台紙１３の裏面には、値下げラベルＬ１枚１枚の搬送方向（ピッチ方向）の間隔を後述するプリンタ３０の用紙位置検出センサー３４で検出するアイマーク１４が印刷されている。
このようなラベル連続体１２は、ロール状にしたロール状ラベル連続体１５として、プリンタ３０の供給部３１に容易に装填可能にしている。
値下げラベルＬの粘着剤側と反対の面（印字面）には、後述するサーマルヘッド４２の発熱作用によって発色する感熱発色層１８が形成されており、値下げ後の価格である新価格１９及び３０％値下げなどの値下げ率２０及び新価格を含む新価格バーコード２１がプリンタ３０によって印字される表示部２２と、表示部２２の下側（搬送方向下流側）から突出するように一体形成され、旧価格ラベル２５に表示された旧価格バーコード２６の少なくとも縦一列を隠蔽する突出部２３と、を有する。
このように形成された値下げラベルＬは、ラベル連続体１２の搬送方向と直交する方向（以下、幅方向とする。）に表示部２２と突出部２３が並列に形成され、搬送方向下流側で搬送方向と直交する方向から見ると略Ｌ字形状に見えるように帯状台紙１３に仮着されている。
突出部２３の縦方向の長さ（天地ｄ）は、旧価格ラベル２５の旧価格バーコード２６に掛かるように貼り付けた時に、旧価格バーコード２６の天地Ｄより長く且つ旧価格バーコード２６以外の旧価格ラベル２５に表示された表示情報を隠蔽しない長さする必要がある。
【００１０】
図３は、値下げラベルＬ発行するプリンタの全体の概略説明図である。
プリンタ３０は、供給部３１と、印字部３２と、カッター部３３と、用紙検出センサー３４と、入力部３５と、表示部３６と、制御部３７と、から構成されている。
【００１１】
供給部３１は、ロール状ラベル連続体１５を回転可能に保持して印字部３２に供給するものであって、繰り出されたラベル連続体１２は、案内ローラー４０を介して印字部３２へと搬送される。
【００１２】
印字部３２（印字手段）は、供給部３１の搬送方向下流側に設置され、図示しないステッピングモーターの駆動により回転しラベル連続体１２（値下げラベルＬ）の搬送をするプラテンローラー４１と、発熱体の発熱により値下げラベルＬに印字するサーマルヘッド４２と、を有している。この印字部３２によって、値下げラベルＬの表示部２２に新価格１９、値下げ率２０、新価格バーコード２１等の印字し、プラテンローラー４１の回転によって、ラベル連続体１２を搬送している。
サーマルヘッド４２は図示しないレバーなどの操作によって値下げラベルＬに接離自在に設けられ、プリンタ３０にラベル連続体１２を通紙するときは値下げラベルＬから離れるようにレバーを操作し、後述する印字部３２で印字するときは値下げラベルＬに接触するようにレバーを操作する。
【００１３】
カッター部３３（カッター手段）は、固定刃４５と可動刃４６とが配置され、可動刃４６は固定刃４５に向けて進退自在に設けられている。ラベル連続体１２は固定刃４５と可動刃４６との間を移送され、可動刃４６が固定刃４５に向けて移動することによってラベル連続体１２は幅方向に対して切断される。
また、カッター部３３は、後述する制御部３７からの指令により値下げラベルＬを切断する。
【００１４】
用紙位置検出センサー３４は、供給部３１と印字部３２の間に設置され、ラベル連続体１２の搬送経路の下側に配置されている。用紙位置検出センサー３４は、所定の光を出射する図示せぬ発行部と発行部から出射された光を帯状台紙１３からの反射光を受光し、受光した光の強度（単位時間当たりの受光量）に対応する電気信号を出力する図示せぬ受光部とからなり、帯状台紙１３の裏面に表示されたアイマーク１４を、受光部の受光量に基づいて検出する。
用紙位置検出センサー３４は、アイマーク１４の検出結果に基いて、値下げラベルＬの印字基準位置或いはカット基準位置等を後述する制御部３７で制御する。
【００１５】
入力部３５（入力手段）は、プリンタ３０の操作者が各種情報を入力するものであって、キーボード、タッチパネル等の入力装置のことである。プリンタ３０の操作者は後述する表示部３６に表示される突出部設定画面４８を見ながら、値下げラベルＬの突出部２３の天地ｄを切断する量を設定する。値下げラベルＬの突出部２３の天地ｄを切断する量を設定する方法としては、後述する表示部３６に突出部設定画面４８が表示され、突出部２３の天地ｄをミリメートル単位等で、入力部３５で入力することによって、制御部３７でラベル連続体１２をカッター部３３まで搬送する搬送距離が演算され（演算手段）、プラテンローラー４１で値下げラベルＬを入力部３５によって入力設定した設定位置まで搬送し、カッター部３３で突出部２３を設定した天地ｄになるように切断する。
なお、プリンタ３０のＲＯＭ５２に旧価格ラベル２５の旧価格バーコード２６の天地Ｄ及び値下げラベルＬの突出部２３の天地ｄを記憶させ、旧価格バーコード２６の天地Ｄと突出部２３の天地ｄを比較して突出部２３の天地ｄが旧価格バーコード２６以外の旧価格ラベル２５の表示情報を隠蔽すると判断した場合に、自動的に突出部２３の天地ｄを算出し、算出した天地ｄになるようにカッター部３３で突出部２３を切断しても良い。
【００１６】
表示部３６は、プリンタ３０のエラー、設定変更等の情報を表示するディスプレイであって、液晶ディスプレイ等の表示装置のことである。プリンタ３０の操作者は、この表示部３６を見ながら入力部３５によってプリンタの各種設定変更を行う。
表示部３６には、図４に示すような突出部設定画面４８が表示され、突出部設定画面４８の突出部２３の天地ｄを記入する突出部天地記入欄４９にプリンタ３０の操作者が入力部３５で突出部２３の天地ｄを入力することによって突出部２３の天地ｄの設定が行える。
【００１７】
図５に示したプリンタ３０の制御部３７のブロック図に基づいて説明する。
制御部３７は、プリンタ３０全体の制御するものであって、各種制御プログラム、各種固定データ、制御テーブルデータ、ＩＯ定数等を記憶するＲＯＭ５２（ｒｅａｄ ｏｎｌｙ ｍｅｍｏｒｙ）と、ＲＯＭ５２に記憶されている各種制御プログラムに従って動作し、各部を制御するＣＰＵ５３（ｃｅｎｔｒａｌ ｐｒｏｃｅｓｓｉｎｇ ｕｎｉｔ）と、ＣＰＵ５３が動作する上で必要となる各種データを記憶するワークエリア、および印字データが展開される印字展開エリアを有するＲＡＭ５４（ｒａｎｄｏｍ ａｃｃｅｓｓ ｍｅｍｏｒｙ）と、ＣＰＵ５３の制御下、プラテンローラー４１を回転させることにより、ラベル連続体１２を搬送方向または搬送方向逆方向に移送するようにプラテンローラー４１を駆動させる図示しないステッピングモーターと、ステッピングモーターを制御する用紙搬送制御回路５５と、ＣＰＵ５３の制御下、ＲＡＭ５４の印字展開エリアに展開された印字すべき文字、記号、およびバーコードなどの印字データに対応する制御信号を生成し、生成した制御信号をサーマルヘッド４２に供給して印字動作を行わせるサーマルヘッド制御回路５６と、ＣＰＵ５３の制御下、用紙位置検出センサー３４の図示せぬ発光部を制御し、光を出射させるとともに図示せぬ受光部から出力される電気信号を受け取り、ディジタルのデータに変換して印字基準検出データ、通常カット位置データとしてＣＰＵ５３に供給する用紙位置検出回路５７と、ＣＰＵ５３の制御下、可動刃４６を上下方向に駆動させることにより、ラベル連続体１２を所定の位置でカットするカッター部３３の図示せぬカッターモータと、この図示せぬカッターモータを制御するカッター制御回路５８と、入力部３５からのコマンドをＣＰＵ５３に供給する入力制御回路５９と、入力部３５への表示データとして表示部３６に供給する表示制御回路６０と、を有している。
制御部３７には、突出部設定画面４８で入力部３５によって入力され突出部２３の天地ｄ（搬送方向への長さ）を設定する制御プログラムと、突出部２３の天地ｄを突出部設定画面４８で設定後に、値下げラベルＬをカッター部３３まで搬送する距離を演算する制御プログラム（演算手段）が格納されている。
入力部３５及び突出部２３の天地ｄを設定する制御プログラムで、突出部２３の天地ｄを設定すると、値下げラベルＬをカッター部３３まで搬送する距離を演算手段（値下げラベルをカッター部３３まで搬送する距離を演算する制御プログラムで値下げラベルＬをカッター部３３まで搬送する距離を算出する。
【００１８】
このように構成したプリンタ３０の動作を図６に示すフローチャート図を用いて説明する。
ＳＴＥＰ１は、ロール状ラベル連続体１５がプリンタ３０の供給部３１に装填され、制御部３７からの印字開始信号に基づいて、プラテンローラー４１が駆動してサーマルヘッド４２の発熱作用によって値下げラベルＬの表示部に新価格１９、値下げ率２０、新価格バーコード２１等の印字を行う。
ＳＴＥＰ２は、値下げラベルＬに印字後に突出部２３の天地ｄを切断する設定がされているかを判断する。設定されている場合はＳＴＥＰ３に移行する。設定されていない場合はＳＴＥＰ５に移行する。
ＳＴＥＰ３は、図７に示すように、入力部３５で設定した突出部２３を切断する長さ分だけ印字後の値下げラベルＬをカッター部３３の固定刃４５と可動刃４６の間を通過させた後に値下げラベルＬの搬送を一旦停止する。
なお、値下げラベルＬの天地ｄ（搬送方向への長さ）が長く、印字後に固定刃４５と可動刃４６の間を、突出部２３を切断する長さ分より多く通過した場合、突出部２３を切断する長さ分になるように値下げラベルＬをバックフィード（搬送方向と逆の方向へ搬送）する。
ＳＴＥＰ４は、カッター部３３の可動刃４５が固定刃４６に向かって前進して値下げラベルＬ（ラベル連続体１２）を切断する。切断後はＳＴＥＰ５に移行する。
ＳＴＥＰ５は、印字後の値下げラベルＬがカッター部３３の固定刃４５と可動刃４６を通過し、印字後の値下げラベルＬと次の値下げラベルＬとの間の帯状台紙１３部分である通常カット位置まで搬送させ、搬送を一旦停止する。
ＳＴＥＰ６は、カッター部３３の可動刃４５が固定刃４６に向かって前進してラベル連続体１２（帯状台紙１３部分）を切断する。
ＳＴＥＰ７は、次の値下げラベルＬを印字するために、次の値下げラベルＬを印字部３２まで搬送方向と逆の方向に搬送（バックフィード）し、次の値下げラベルＬの頭出しをする。
【００１９】
図７は値下げラベルＬの突出部の天地を所定の長さに切断するために値下げラベルＬを設定位置まで搬送した状態を示す側面図及び平面図である。
値下げラベルＬは突出部設定画面４８で設定した突出部２３の天地ｄにすべく印字部３２でカッター部３３まで搬送され、切断部分２７をカッター部３３で切断される。
図８（ａ）、（ｂ）はカッター部３３でカット後の値下げラベルＬと旧価格ラベル２５の説明図である。
突出部２３を突出部設定画面４８で設定した長さに切断した値下げラベルＬは、旧価格ラベル２５の旧価格バーコード２６以外に表示された表示情報２７を隠蔽することがなく貼り付けすることができる。
なお、値下げラベルＬは、印字部３２で表示部２２に値下げ後の価格である新価格１９及び３０％値下げなどの値下げ率２０及び新価格を含む新価格バーコード２１が印字されている。
【００２０】
なお、本発明が上記実施の形態に限定されず、本発明の技術思想の範囲内において、実施の形態は適宜変更可能である。また、上記構成要件の数、位置、形状等は上記実施の形態に限定されず、本発明を実施する上で好適な数、位置、形状等にすることができる。
【図面の簡単な説明】
【００２１】
【図１】（ａ）  従来の値下げラベル１及び旧価格ラベル８の説明図である。         （ｂ）  従来の値下げラベル１を旧価格ラベル８に貼り付けた説明図である。
【図２】（ａ）  ラベル連続体１２の斜視図である。         （ｂ）  ラベル連続体裏面の平面図である。
【図３】値下げラベルＬ発行するプリンタ３０全体の概略説明図である。
【図４】表示部３６の画面図である。
【図５】プリンタ３０の制御部３７のブロック図である。
【図６】プリンタ３０の動作を示すフローチャート図である。
【図７】ラベル連続体１２を搬送するプリンタの側面図及び平面図である。
【図８】値下げラベルＬと旧価格ラベル２５の説明図である。
【符号の説明】
【００２２】
１      値下げラベル
２      新価格
３      値下げ率
４      新価格バーコード
５      突出部
７      旧価格
８      旧価格ラベル
９      旧価格バーコード
１０    表示情報
１２    ラベル連続体
１３    帯状台紙
１４    アイマーク
１５    ロール状ラベル連続体
１８    感熱発色層
１９    新価格
２０    値下げ率
２１    新価格バーコード
２２    表示部
２３    突出部
２５    旧価格ラベル
２６    旧価格バーコード
２７    表示情報
３０    プリンタ
３１    供給部
３２    印字部
３３    カッター部
３４    用紙位置検出センサー
３５    入力部
３６    表示部
３７    制御部
４０    案内ローラー
４１    プラテンローラー
４２    サーマルヘッド
４５    固定刃
４６    可動刃
４８    突出部設定画面
４９    突出部天地記入欄
５２    ＲＯＭ
５３    ＣＰＵ
５４    ＲＡＭ
５５    用紙搬送制御回路
５６    サーマルヘッド制御回路
５７    センサー制御回路
５８    カッター制御回路
５９    インタフェース
Ｌ      値下げラベル
【図１】
2008164820.tif 000003
【図２】
2008164820.tif 000004
【図３】
2008164820.tif 000005
【図４】
2008164820.tif 000006
【図５】
2008164820.tif 000007
【図６】
2008164820.tif 000008
【図７】
2008164820.tif 000009
【図８】
2008164820.tif 000010